(57)【要約】【課題】回路基板のランド部からの反射光によりインジケータ意匠が薄く発光するのを防ぐことのできる自動車用計器のインジケータ照明構造を提供する。【解決手段】ライトケース部２１の一部には、表示板３０から該ライトケース部２１内部を視た際に、ランド部１２を覆い隠す遮光壁２２が形成されている。【選択図】図１
2010122062.tif 000002
【特許請求の範囲】
【請求項１】
回路基板と、
前記回路基板のランド部に半田付けされることで該回路基板上に配置された光源と、
前記光源の照射方向前方に配置される、透過性のインジケータ意匠を有した表示板と、、前記光源と前記表示板との間の照光空間を取り囲むように形成された筒状のライトケース部と、を有し、前記回路基板を内部に収容する自動車用計器のケースと、
を備え、
前記ライトケース部の一部には、前記表示板から該ライトケース部内部を視た際に、前記ランド部を覆い隠す遮光壁が形成されている、
ことを特徴とする自動車用計器のインジケータ照明構造。
【発明の詳細な説明】
【技術分野】
【０００１】
本発明は、自動車用計器の表示板に設けられているインジケータ意匠を照明するためのインジケータ照明構造に関するものである。
【背景技術】
【０００２】
図２（ａ）は一般的な自動車用計器の正面図、（ｂ）は（ａ）のＡ部の一部の断面図、（ｃ）は（ｂ）のＩＩｃ矢視図である。
【０００３】
図２（ａ）に示すように、自動車用計器には、例えば、符号Ａで示すようなインジケータ部が設けられている。このようなインジケータ部には、１つのインジケータ意匠ごとに１つの専用のＬＥＤ（光源）が備わっており、ＬＥＤを点灯することにより、インジケータ意匠が発光するようになっている。
【０００４】
１つのインジケータ意匠ごとの照明構造は、一般的に、図２（ｂ）に示すように構成されている。図２（ｂ）において、２０は自動車用計器のケースであり、その裏面側に回路基板１０が配置されている。また、ケース２０の表面側に、透光性のインジケータ意匠３１を有した表示板３０が配置されている。
【０００５】
また、回路基板１０には、インジケータ意匠３１の真後ろに位置して、インジケータ意匠３１を背面側から照明するための専用のＬＥＤ（光源）Ｌ１が配置されている。ＬＥＤＬ１は、回路基板１０のランド部１２に端子が半田付けされることにより、回路基板１０上に実装されている。
【０００６】
また、ケース２０の裏面には、ＬＥＤＬ１からインジケータ意匠３１までの照光空間を取り囲むように筒状のライトケース部２１が突設されており、このライトケース部２１により、ライトケース部２１の外側のＬＥＤＬ２（他の光源）からの光Ｒ１を遮断するようにしている。
【０００７】
この照明構造では、インジケータ意匠３１に専用のＬＥＤＬ１を点灯することにより、インジケータ意匠３１をＬＥＤＬ１の光で背後から照明することができ、インジケータ意匠３１を発光させることができる。
【０００８】
なお、この種のインジケータ照明構造は、例えば、特許文献１に一例が開示されている。
【特許文献１】特開２００６−３２６１号公報
【発明の開示】
【発明が解決しようとする課題】
【０００９】
ところで、図２（ｂ）に示すように、回路基板１０とライトケース部２１の間には僅かな隙間２３が開いていることがあり、その隙間２３から、隣接するＬＥＤＬ２などの光（他の光源の光）Ｒ１がライトケース部２１内に侵入して、ライトケース部２１内のランド部１２に当たると、ランド部１２で反射して、インジケータ意匠３１の方向へ進むことがある。そうすると、図２（ｃ）に示すように、ランド部１２がインジケータ意匠３１側から見えるようになっているので、専用のＬＥＤＬ１を消灯しているのに、隙間２３から漏れ入って、ランド部１２で反射した光Ｒ２により、インジケータ意匠３１が薄く発光してしまうことがあり、インジケータ意匠３１の見栄えが悪化する上、指示内容の誤認を招くおそれがあった。
【００１０】
本発明は、上述した事情に鑑みてなされたものであり、その目的は、光源を半田付けしている回路基板のランド部からの反射光によりインジケータ意匠が薄く発光するのを防ぐことのできる自動車用計器のインジケータ照明構造を提供することにある。
【課題を解決するための手段】
【００１１】
前述した目的を達成するために、本発明に係る自動車用計器のインジケータ照明構造は、下記（１）を特徴としている。
（１）  回路基板と、
前記回路基板のランド部に半田付けされることで、該回路基板上に配置された光源と、
前記光源の照射方向前方に配置される、透過性のインジケータ意匠を有した表示板と、、前記光源と前記表示板との間の照光空間を取り囲むように形成された筒状のライトケース部と、を有し、前記回路基板を内部に収容する自動車用計器のケースと、
を備え、
前記ライトケース部の一部には、前記表示板から該ライトケース部内部を視た際に、前記ランド部を覆い隠す遮光壁が形成されている、
こと。
【００１２】
上記（１）の構成のインジケータ照明構造によれば、ライトケース部に設けた遮光壁の働きにより、万一、ケースと回路基板の隙間から他の光源の光が侵入しランド部で反射しても、その反射光が表示板のインジケータ意匠まで届かないように遮ることができるので、インジケータ意匠が光漏れの影響で薄く発光してしまうのを防ぐことができる。
【発明の効果】
【００１３】
本発明によれば、インジケータ意匠が他の光源からの光漏れの影響で薄く発光してしまうのを防ぐことができ、見栄えの悪化と指示内容の誤認の可能性を無くすことができる。
【００１４】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１５】
以下、本発明に係る好適な実施形態を図面に基づいて詳細に説明する。
【００１６】
図１（ａ）は実施形態のインジケータ照明構造の断面図であり、（ｂ）は（ａ）のＩｂ矢視図である。
図１（ａ）に示すように、この実施形態では、ケース２０の裏面側に回路基板１０が配置され、ケース２０の表面側に、透光性のインジケータ意匠３１を有した表示板３０が配置されている。また、回路基板１０には、インジケータ意匠３１の真後ろに位置して、インジケータ意匠３１を背面側から照明する専用のＬＥＤ（光源）Ｌ１が配置されている。ＬＥＤＬ１は、端子が回路基板１０のランド部１２に半田付けされることにより、回路基板１０上に実装されている。
【００１７】
また、ケース２０の裏面には、ＬＥＤＬ１からインジケータ意匠３１までの照光空間を取り囲むように筒状のライトケース部２１が設けられ、このライトケース部２１により、ライトケース部２１の外側のＬＥＤＬ２などからの光Ｒ１を遮断するようになっている。なお、筒状のライトケース部２１は、ＬＥＤＬ１から表示板３０に向かって徐々に拡がる拡開形状をなしている。
【００１８】
そして、本実施形態では、ライトケース部２１の周壁の一部に、インジケータ意匠３１側からライトケース２１の奥部を見た際に、図１（ｂ）に示すように、ＬＥＤＬ１を半田付けしているランド部１２を覆い隠すように、ランド部１２からインジケータ意匠３１への反射光Ｒ２を遮断する遮光壁２２が設けられている。遮光壁２２は、光の漏れ入る可能性のある側だけに設ければ足りるので、本実施形態では、片方のランド部１２だけを覆い隠すように遮光壁２２が設けられている。この場合の遮光壁２２は、実線で示すようにライトケース２１の周壁から突出した突壁として設けられていてもよいし、ライトケース部２１の周壁の傾斜面２１ａの延長として設けられていてもよい。傾斜面２１ａの延長として遮光壁２２を設けた場合は、ライトケース２１の内面に段を付けずに済む。
【００１９】
このように、ライトケース部２１に設けた遮光壁２２の働きにより、万一、ケース２０と回路基板１０の隙間２３から他の光源（ＬＥＤＬ２など）の光Ｒ１が侵入してランド部１２で反射しても、その反射光Ｒ２を、表示板３０のインジケータ意匠３１まで届かないように遮ることができる。従って、専用のＬＥＤＬ１を消灯しているにも拘わらず、インジケータ意匠３１が他から漏れ入る光の影響で薄く発光してしまうのを防ぐことができるし、指示内容の誤認のおそれも無くすことができる。
【００２０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００２１】
【図１】（ａ）は本発明の実施形態のインジケータ照明構造の断面図であり、（ｂ）は（ａ）のＩｂ矢視図である。
【図２】（ａ）は一般的な自動車用計器の正面図、（ｂ）は（ａ）のＡ部の一部の断面図、（ｃ）は（ｂ）のＩＩｃ矢視図である。
【符号の説明】
【００２２】
１０  回路基板
１２  ランド部
２０  ケース
２１  ライトケース部
２１ａ  傾斜面
２２  遮光壁
３０  表示板
３１  インジケータ意匠
Ｌ１  ＬＥＤ（光源）
【図１】
2010122062.tif 000003
【図２】
2010122062.tif 000004